(57)【特許請求の範囲】
【請求項１】
デジタル放送を受信する受信装置と、上記受信装置によって受信したデジタル放送を表示する表示装置と、上記受信装置によって受信したデジタル放送に含まれ、表示属性を指定する表示属性情報を有するコンテンツ情報を印刷する印刷装置とを備え、上記受信装置と上記表示装置及び印刷装置とがそれぞれ接続されてなるデジタル放送受信システムにおいて、
上記受信装置は、
デジタル放送を受信する受信手段と、
上記受信手段によって受信したデジタル放送の信号に基づいて所定の信号処理を行うことにより、上記表示装置で表示するためのコンテンツ情報を生成するコンテンツ情報生成手段と、
上記コンテンツ情報生成手段により生成されたコンテンツ情報を、上記表示装置及び上記印刷装置に出力する出力手段とを備え、
上記印刷装置は、
上記受信装置から出力されたコンテンツ情報を受け取る入力手段と、
上記入力手段により受け取ったコンテンツ情報に含まれる上記表示属性情報のうちの少なくとも一部を、印刷に適した内容に変換するコンテンツ情報変換手段と、
上記コンテンツ情報変換手段により変換されたコンテンツ情報を印刷する印刷手段とを備え、
上記コンテンツ情報変換手段は、上記表示属性情報が示す背景色を調整するとともに、上記印刷手段の印刷特性や使用するインクの色再現特性に合わせて、ＲＧＢの値による数値指定形式となるように、画像データの変換処理を行い、
上記表示装置の表示解像度と、上記印刷手段の印刷解像度の違いに応じた文字の大きさや書体を指定するように変換し、上記印刷手段における解像度が上記表示装置における解像度よりも高い場合には、ビットマップ形式のフォントで表示するように指定されていた文字をアウトライン形式のフォントに変換して上記印刷手段に印刷させること
を特徴とするデジタル放送受信システム。
【請求項２】
上記表示属性情報は、表示する際の、背景色、文字の大きさ、文字の色、書体、文字を表現する方法、文字の表示位置、文字間のスペースの大きさ、行間スペースの大きさ、表示全体の大きさ、表示全体の位置、のうちの少なくとも一つを指定する情報を含むこと
を特徴とする請求項１記載のデジタル放送受信システム。
【請求項３】
デジタル放送を受信する受信装置と、上記受信装置によって受信したデジタル放送を表示する表示装置と、上記受信装置によって受信したデジタル放送に含まれ、表示属性を指定する表示属性情報を有するコンテンツ情報を印刷する印刷装置とを備え、上記受信装置と上記表示装置及び印刷装置とがそれぞれ接続されてなるデジタル放送受信システムにおいて、
上記受信装置は、
デジタル放送を受信する受信手段と、
上記受信手段によって受信したデジタル放送の信号に基づいて所定の信号処理を行うことにより、上記表示装置で表示するためのコンテンツ情報を生成するコンテンツ情報生成手段と、
上記コンテンツ情報生成手段により生成されたコンテンツ情報に含まれる上記表示属性情報のうちの少なくとも一部を、上記印刷装置での印刷に適した内容に変換するコンテンツ情報変換手段と、
上記コンテンツ情報生成手段により生成されたコンテンツ情報を上記表示装置に出力するとともに、上記コンテンツ情報変換手段により一部が変換されたコンテンツ情報を上記印刷装置に出力する出力手段とを備え、
上記印刷装置は、
上記受信装置から出力されたコンテンツ情報を受け取る入力手段と、
上記入力手段により受け取ったコンテンツ情報を印刷する印刷手段とを備え、
上記コンテンツ情報変換手段は、上記表示属性情報が示す背景色を調整するとともに、上記印刷手段の印刷特性や使用するインクの色再現特性に合わせて、ＲＧＢの値による数値指定形式となるように、画像データの変換処理を行い、
上記表示装置の表示解像度と、上記印刷手段の印刷解像度の違いに応じた文字の大きさや書体を指定するように変換し、上記印刷手段における解像度が上記表示装置における解像度よりも高い場合には、ビットマップ形式のフォントで表示するように指定されていた文字をアウトライン形式のフォントに変換して上記印刷手段に印刷させること
を特徴とするデジタル放送受信システム。
【請求項４】
上記表示属性情報は、表示する際の、背景色、文字の大きさ、文字の色、書体、文字を表現する方法、文字の表示位置、文字間のスペースの大きさ、行間スペースの大きさ、表示全体の大きさ、表示全体の位置、のうちの少なくとも一つを指定する情報を含むこと
を特徴とする請求項３記載のデジタル放送受信システム。
【請求項５】
デジタル放送を受信する受信手段と、
上記受信手段によって受信したデジタル放送の信号に基づいて所定の信号処理を行うことにより、デジタル放送を表示するための表示属性を指定する表示属性情報を有するコンテンツ情報を生成するコンテンツ情報生成手段と、
上記コンテンツ情報生成手段により生成されたコンテンツ情報に含まれる上記表示属性情報のうちの少なくとも一部を、印刷装置での印刷に適した内容に変換するコンテンツ情報変換手段と、
上記コンテンツ情報生成手段により生成されたコンテンツ情報を、デジタル放送を表示する表示装置に出力するとともに、上記コンテンツ情報変換手段により一部が変換されたコンテンツ情報を上記印刷装置に出力する出力手段とを備え、
当該デジタル放送受信装置は、当該デジタル放送受信装置によって受信したデジタル放送を表示する表示装置と、当該デジタル放送受信装置によって受信したデジタル放送に含まれ、表示属性を指定する表示属性情報を有するコンテンツ情報を印刷する印刷装置とに接続され、
上記コンテンツ情報変換手段は、上記表示属性情報が示す背景色を調整するとともに、上記印刷装置の印刷特性や使用するインクの色再現特性に合わせて、ＲＧＢの値による数値指定形式となるように、画像データの変換処理を行い、
上記表示装置の表示解像度と、上記印刷装置の印刷解像度の違いに応じた文字の大きさや書体を指定するように変換し、上記印刷装置における解像度が上記表示装置における解像度よりも高い場合には、ビットマップ形式のフォントで表示するように指定されていた文字をアウトライン形式のフォントに変換して上記印刷装置に印刷させること
を特徴とするデジタル放送受信装置。
【請求項６】
上記表示属性情報は、表示する際の、背景色、文字の大きさ、文字の色、書体、文字を表現する方法、文字の表示位置、文字間のスペースの大きさ、行間スペースの大きさ、表示全体の大きさ、表示全体の位置、のうちの少なくとも一つを指定する情報を含むこと
を特徴とする請求項５記載のデジタル放送受信装置。
【請求項７】
デジタル放送を受信する受信手段と、
上記受信手段によって受信したデジタル放送の信号に基づいて所定の信号処理を行うことにより、デジタル放送を表示するための表示属性を指定する表示属性情報を有するコンテンツ情報を生成するコンテンツ情報生成手段と、
上記コンテンツ情報生成手段により生成されたコンテンツ情報に含まれる上記表示属性情報のうちの少なくとも一部を、印刷に適した内容に変換するコンテンツ情報変換手段と、
上記コンテンツ情報生成手段により生成されたコンテンツ情報を、デジタル放送を表示する表示装置に出力する出力手段と、
上記コンテンツ情報変換手段によって変換されたコンテンツ情報を印刷する印刷手段とを備え、
当該デジタル放送受信装置は、当該デジタル放送受信装置によって受信したデジタル放送を表示する表示装置に接続され、
上記コンテンツ情報変換手段は、上記表示属性情報が示す背景色を調整するとともに、上記印刷手段の印刷特性や使用するインクの色再現特性に合わせて、ＲＧＢの値による数値指定形式となるように、画像データの変換処理を行い、
上記表示装置の表示解像度と、上記印刷手段の印刷解像度の違いに応じた文字の大きさや書体を指定するように変換し、上記印刷手段における解像度が上記表示装置における解像度よりも高い場合には、ビットマップ形式のフォントで表示するように指定されていた文字をアウトライン形式のフォントに変換して上記印刷手段に印刷させること
を特徴とするデジタル放送受信装置。
【請求項８】
上記表示属性情報は、表示する際の、背景色、文字の大きさ、文字の色、書体、文字を表現する方法、文字の表示位置、文字間のスペースの大きさ、行間スペースの大きさ、表示全体の大きさ、表示全体の位置、のうちの少なくとも一つを指定する情報を含むこと
を特徴とする請求項７記載のデジタル放送受信装置。
【請求項９】
受信装置がデジタル放送を受信して生成した表示属性を指定する表示属性情報を有するコンテンツ情報を印刷するデジタル放送印刷装置において、
上記受信装置から出力されたコンテンツ情報を受け取る入力手段と、
上記入力手段により受け取ったコンテンツ情報に含まれる上記表示属性情報のうちの少なくとも一部を、印刷に適した内容に変換するコンテンツ情報変換手段と、
上記コンテンツ情報変換手段により変換されたコンテンツ情報を印刷する印刷手段とを備え、
上記受信装置は、上記受信装置によって受信したデジタル放送を表示する表示装置と、当該デジタル放送印刷装置とに接続され、
上記コンテンツ情報変換手段は、上記表示属性情報が示す背景色を調整するとともに、上記印刷手段の印刷特性や使用するインクの色再現特性に合わせて、ＲＧＢの値による数値指定形式となるように、画像データの変換処理を行い、
上記表示装置の表示解像度と、上記印刷手段の印刷解像度の違いに応じた文字の大きさや書体を指定するように変換し、上記印刷手段における解像度が上記表示装置における解像度よりも高い場合には、ビットマップ形式のフォントで表示するように指定されていた文字をアウトライン形式のフォントに変換して上記印刷手段に印刷させること
を特徴とするデジタル放送印刷装置。
【請求項１０】
上記表示属性情報は、表示する際の、背景色、文字の大きさ、文字の色、書体、文字を表現する方法、文字の表示位置、文字間のスペースの大きさ、行間スペースの大きさ、表示全体の大きさ、表示全体の位置、のうちの少なくとも一つを指定する情報を含むこと
を特徴とする請求項９記載のデジタル放送印刷装置。
【発明の詳細な説明】
【０００１】
【発明の属する技術分野】
本発明は、デジタル放送を受信する受信装置と、受信装置によって受信したデジタル放送を表示する表示装置と、受信装置によって受信したデジタル放送に含まれるコンテンツ情報を印刷する印刷装置とを備え、受信装置と表示装置及び印刷装置とがそれぞれ接続されてなるデジタル放送受信システムに関する。また、本発明は、デジタル放送を受信するデジタル放送受信装置、及び受信装置がデジタル放送を受信して生成したコンテンツ情報を印刷するデジタル放送印刷装置に関する。
【０００２】
【従来の技術】
従来より、ＣＲＴ（Cathode Ray Tube）ディスプレイ等の表示装置に表示されたテレビジョン放送等の表示画像をプリントするためには、アナログビデオプリンタが用いられている。
【０００３】
アナログビデオプリンタは、例えば、図２０に示すように、表示装置５００から出力されるアナログ映像信号が入力される。すなわち、図２０に示す例では、表示装置５００に対して、テレビジョン信号や映像信号等が入力されており、表示装置５００は、これらの信号から生成した画像を表示する。そして、アナログビデオプリンタ５０１には、表示装置５００が表示する画像に相当するアナログ映像信号が入力される。
【０００４】
アナログビデオプリンタ５０１は、入力されたアナログ映像信号に基づいてデジタル化処理を施し、フレームメモリ５０２に画像データとして記憶するとともに随時更新する。そして、外部からの印刷指示が入力されると、フレームメモリ５０２に記録する画像データの更新を中止し、このフレームメモリ５０２に記憶された画像データを読み出して、プリンタエンジン５０３により印刷処理を行う。
【０００５】
また、アナログビデオプリンタ５０１には、印刷する画像データを確認するために、例えば液晶ディスプレイ等を用いた印刷確認用表示部５０４が設けられている。そして、フレームメモリ５０２に記憶されている画像データに対してアナログ化処理を施すことにより、アナログ映像信号として印刷確認用表示部５０４に出力する。印刷確認用表示部５０４は、入力されたアナログ映像信号から生成した画像を表示する。
【０００６】
このようなアナログビデオプリンタ５０１は、通常、連続する動画データに含まれる特定の画像を印刷する用途に用いられている。このため、外部から入力される印刷指示としては、動画データの中から印刷する画像を確定する指示と、確定した画像について印刷処理を開始させる指示との２段階の指示とされている。また、アナログビデオプリンタ５０１は、印刷確認用表示部５０４を備えない構成とされる場合があるが、この場合には印刷する画像を予め確認することができない。
【０００７】
上述したような従来のアナログビデオプリンタ５０１では、入力されるアナログ映像信号として、例えば、ＮＴＳＣ（National Television System Committee）信号、ＰＡＬ（Phase Alternation by Line）信号、ＲＧＢ映像信号、Ｓ端子映像信号等のような、従来から一般的に利用されている信号が用いられている。
【０００８】
また、パーソナルコンピュータ（以下、ＰＣという。）等の情報処理装置の表示画像を印刷するためには、アナログマルチスキャンプリンタやＰＣプリンタが用いられている。
【０００９】
アナログマルチスキャンプリンタ５１０は、例えば、図２１に示すように、ＰＣ本体５１１から表示装置５１２に対して出力されるアナログＣＲＴインタフェース信号が入力される。アナログマルチスキャンプリンタ５１０は、入力されたアナログＣＲＴインタフェース信号を分岐して、一方を表示装置５１２に出力しながら、他方に対してデジタル化処理を施し、フレームメモリ５１３に画像データとして記憶し、随時更新する。そして、外部からの印刷指示が入力されると、フレームメモリ５１３に記憶する画像データの更新を中止し、このフレームメモリ５１３に記録された画像データを読み出して、プリンタエンジン５１４により印刷処理を行う。
【００１０】
なお、アナログＣＲＴインタフェース信号としては、例えば、ＲＧＢ映像信号、及びその同期信号が用いられ、信号モードとしては、以下の範囲内の信号が一般的に用いられている。
【００１１】
水平解像度：６４０〜１６００ドット
垂直解像度：４８０〜１２００ライン
水平偏向周波数：３０〜１０７ｋＨｚ
垂直偏向周波数：４８〜１６０Ｈｚ
アナログマルチスキャンプリンタ５１０は、このような各種信号モードに対してマルチスキャン機能を有しており、印刷する画像に適したサイズの画像データを取得して、印刷することが可能とされている。
【００１２】
ＰＣプリンタ５２０は、例えば、図２２に示すように、ＰＣ本体５２１から表示装置５２２に対して出力される映像信号とは別に、このＰＣ本体５２１から汎用プリンタインタフェースを介して印刷データが入力される。
【００１３】
ＰＣプリンタ５２０では、ＰＣ本体５２１で動作するアプリケーションプログラムが文字データや画像データを生成し、このアプリケーションプログラムが生成した文字データや画像データがＯＳ（Operation System）に渡されて、表示装置５２２に表示している。ＯＳは、印刷指示が入力されると、ＰＣ本体５２１内でプリンタドライバを起動する。プリンタドライバは、文字データや画像データを、ＰＣ本体５２１に接続されているＰＣプリンタ５２０に適した形式の印刷データに変換して、この印刷データをＰＣプリンタ５２０に送出する。ＰＣプリンタ５２０は、送出された印刷データを解釈して、プリンタエンジン５２３により印刷処理を行う。
【００１４】
このようなＰＣプリンタ５２０では、汎用プリンタインタフェースとして、例えば、Bi-Centronics（IEEE-1284）、ＲＳ−２３２Ｃ、ＳＣＳＩ、Ｉｒ−ＤＡ、ＵＳＢ等が用いられている。
【００１５】
【発明が解決しようとする課題】
ところで、従来、例えばテレビジョン放送を受信して表示する際には、受信装置によってアナログテレビジョン信号を受信し、このアナログテレビジョン信号をアナログ電子回路にて処理して、表示装置で表示していた。しかしながら、このようなテレビジョン放送は、従来のようにアナログ信号ではなく、デジタル信号によって放送されるようになることが予想されている。
【００１６】
具体的には、例えば、日本国において、平成８年１０月からＣＳデジタル放送が開始され、さらに、ＣＡＴＶ、ＢＳ放送、地上波放送でも順次デジタル放送が開始されようとしている。このように、テレビジョン放送がデジタル化されると、従来よりも高品質な映像の提供がなされるようになる。また、デジタル化によって、映像信号の他に、ＳＩ（Service Information）信号と呼ばれる各種情報を含む信号が提供され、このＳＩ信号によって、ＥＰＧ（Electronic Program Guide）、すなわち、表示装置に表示可能な番組ガイド情報を利用することが可能となる。
【００１７】
このように、テレビジョン放送のデジタル化により、表示装置には、従来のような番組放送だけでなく、各種のコンテンツ情報を組み合わせて表示することが可能となる。このようなコンテンツ情報は、例えば、静止画像データ、動画像データ、文字データ、音声データなど様々なデータにより構成されている。
【００１８】
このような現在の実状のなかで、テレビジョン放送等の画像や各種コンテンツ情報を印刷するに際して、上述した従来のアナログビデオプリンタ５０１、アナログマルチスキャンプリンタ５１０、及びＰＣプリンタ５２０を用いる場合には、印刷機能の自由度や印刷装置のコストなどの面で、問題が多い。
【００１９】
具体的には、例えば、上述したアナログビデオプリンタ５０１やアナログマルチスキャンプリンタ５１０などを用いる場合には、Ａ／Ｄ変換を行う回路やＤ／Ａ変換を行う回路などが必要となるだけでなく、信号劣化対策及びノイズ対策が重要となり、装置構成が複雑となって低コスト化を図ることが困難となってしまう。また、これらアナログビデオプリンタ５０１やアナログマルチスキャンプリンタ５１０には、表示装置５００や表示装置５１０に備えられる表示用のコンテンツ情報を生成するコンテンツ情報手段とは別に、印刷するコンテンツ情報を生成するコンテンツ情報手段を独自に備える必要があり、この独自のコンテンツ情報手段を備えるためのコストが必要となってしまう。
【００２１】
また、これらのコンテンツ情報を印刷する場合、表示装置５００やＰＣ本体５１１において、表示用のコンテンツ情報を生成するコンテンツ情報生成手段によって生成された表示用のコンテンツ情報をアナログ映像信号やアナログＣＲＴインタフェース信号に変換し、アナログビデオプリンタ５０１やアナログマルチスキャンプリンタ５１０に出力する。そして、これらアナログビデオプリンタ５０１やアナログマルチスキャンプリンタ５１０では、入力された表示用のコンテンツ情報を含んだアナログ映像信号やアナログＣＲＴインタフェース信号から生成した表示用の画像をそのままプリンタエンジン５０３，５１４により印刷処理を行うため、コンテンツ情報を印刷に適した十分な画質で印刷することができなくなってしまう。
【００２２】
さらに、例えば、テレビジョン放送を受信して表示するテレビ受像機と印刷装置とを接続するに際して、上述したＰＣプリンタ５２０と同様な汎用プリンタインタフェースを利用して画像データを送出するとした場合には、このテレビ受像機側に、高速演算能力、大容量記憶手段、及び高速な汎用プリンタインタフェースの出力ポートを備える必要がある。このため、テレビ受像機が高コスト化してしまうといった問題が生じる。しかも、このようなテレビ受像機に印刷装置を接続しない場合には、これらの高速演算能力、大容量記憶手段、及び高速な汎用プリンタインタフェース等が不要なものとなってしまう。
【００２３】
そこで、本発明は、上述した従来の実情を鑑みて提案されるものであり、上述したような問題を解決して、重複して無駄となってしまう回路や機能を備える必要がなく、低コストで実現することが可能であり、効率的に、柔軟且つ高品質な印刷を行うことが可能なデジタル放送受信システム、デジタル放送受信装置、並びにデジタル放送印刷装置を提供することを目的とする。
【００２４】
【課題を解決するための手段】
本発明に係るデジタル放送受信システムは、デジタル放送を受信する受信装置と、上記受信装置によって受信したデジタル放送を表示する表示装置と、上記受信装置によって受信したデジタル放送に含まれ、表示属性を指定する表示属性情報を有するコンテンツ情報を印刷する印刷装置とを備え、上記受信装置と上記表示装置及び印刷装置とがそれぞれ接続されてなるデジタル放送受信システムである。上記受信装置は、デジタル放送を受信する受信手段と、上記受信手段によって受信したデジタル放送の信号に基づいて所定の信号処理を行うことにより、上記表示装置で表示するためのコンテンツ情報を生成するコンテンツ情報生成手段と、上記コンテンツ情報生成手段により生成されたコンテンツ情報を、上記表示装置及び上記印刷装置に出力する出力手段とを備える。また、上記印刷装置は、上記受信装置から出力されたコンテンツ情報を受け取る入力手段と、上記入力手段により受け取ったコンテンツ情報に含まれる上記表示属性情報のうちの少なくとも一部を、印刷に適した内容に変換するコンテンツ情報変換手段と、上記コンテンツ情報変換手段により変換されたコンテンツ情報を印刷する印刷手段とを備え、上記コンテンツ情報変換手段は、上記表示属性情報が示す背景色を調整するとともに、上記印刷手段の印刷特性や使用するインクの色再現特性に合わせて、ＲＧＢの値による数値指定形式となるように、画像データの変換処理を行い、上記表示装置の表示解像度と、上記印刷手段の印刷解像度の違いに応じた文字の大きさや書体を指定するように変換し、上記印刷手段における解像度が上記表示装置における解像度よりも高い場合には、ビットマップ形式のフォントで表示するように指定されていた文字をアウトライン形式のフォントに変換して上記印刷手段に印刷させる。
【００２５】
以上のように構成された本発明に係るデジタル放送受信システムは、受信装置のコンテンツ情報生成手段によって生成したコンテンツ情報を、印刷装置での印刷に適した内容に変換することができる。このため、受信装置には印刷に適したコンテンツ情報を生成するコンテンツ情報変換手段を備える必要がなく、印刷装置を接続しない場合に、システム全体として低コスト化を図ることができるとともに、印刷装置のコンテンツ情報変換手段によって表示用のコンテンツ情報を印刷に適した内容に変換することができることから、効率的に、柔軟且つ高品質な印刷を行うことができる。
【００２６】
また、本発明に係るデジタル放送受信システムは、デジタル放送を受信する受信装置と、上記受信装置によって受信したデジタル放送を表示する表示装置と、上記受信装置によって受信したデジタル放送に含まれ、表示属性を指定する表示属性情報を有するコンテンツ情報を印刷する印刷装置とを備え、上記受信装置と上記表示装置及び印刷装置とがそれぞれ接続されてなるデジタル放送受信システムである。上記受信装置は、デジタル放送を受信する受信手段と、上記受信手段によって受信したデジタル放送の信号に基づいて所定の信号処理を行うことにより、上記表示装置で表示するためのコンテンツ情報を生成するコンテンツ情報生成手段と、上記コンテンツ情報生成手段により生成されたコンテンツ情報に含まれる上記表示属性情報のうちの少なくとも一部を、上記印刷装置での印刷に適した内容に変換するコンテンツ情報変換手段と、上記コンテンツ情報生成手段により生成されたコンテンツ情報を上記表示装置に出力するとともに、上記コンテンツ情報変換手段により一部が変換されたコンテンツ情報を上記印刷装置に出力する出力手段とを備える。また、上記印刷装置は、上記受信装置から出力されたコンテンツ情報を受け取る入力手段と、上記入力手段により受け取ったコンテンツ情報を印刷する印刷手段とを備え、上記コンテンツ情報変換手段は、上記表示属性情報が示す背景色を調整するとともに、上記印刷手段の印刷特性や使用するインクの色再現特性に合わせて、ＲＧＢの値による数値指定形式となるように、画像データの変換処理を行い、上記表示装置の表示解像度と、上記印刷手段の印刷解像度の違いに応じた文字の大きさや書体を指定するように変換し、上記印刷手段における解像度が上記表示装置における解像度よりも高い場合には、ビットマップ形式のフォントで表示するように指定されていた文字をアウトライン形式のフォントに変換して上記印刷手段に印刷させる。
【００２７】
以上のように構成された本発明に係るデジタル放送受信システムは、受信装置のコンテンツ情報生成手段によって生成したコンテンツ情報を、印刷装置での印刷に適した内容に変換することができる。そして、受信装置は、表示装置で表示するためのコンテンツ情報とは別に、印刷装置での印刷に適したコンテンツ情報を出力することができる。したがって、効率的に、柔軟且つ高品質な印刷を行うことができる。
【００２８】
また、本発明に係るデジタル放送受信装置は、デジタル放送を受信する受信手段と、上記受信手段によって受信したデジタル放送の信号に基づいて所定の信号処理を行うことにより、デジタル放送を表示するための表示属性を指定する表示属性情報を有するコンテンツ情報を生成するコンテンツ情報生成手段と、上記コンテンツ情報生成手段により生成されたコンテンツ情報に含まれる上記表示属性情報のうちの少なくとも一部を、印刷装置での印刷に適した内容に変換するコンテンツ情報変換手段と、上記コンテンツ情報生成手段により生成されたコンテンツ情報をデジタル放送を表示する表示装置に出力するとともに、上記コンテンツ情報変換手段により一部が変換されたコンテンツ情報を上記印刷装置に出力する出力手段とを備え、当該デジタル放送受信装置は、当該デジタル放送受信装置によって受信したデジタル放送を表示する表示装置と、当該デジタル放送受信装置によって受信したデジタル放送に含まれ、表示属性を指定する表示属性情報を有するコンテンツ情報を印刷する印刷装置とに接続され、上記コンテンツ情報変換手段は、上記表示属性情報が示す背景色を調整するとともに、上記印刷装置の印刷特性や使用するインクの色再現特性に合わせて、ＲＧＢの値による数値指定形式となるように、画像データの変換処理を行い、上記表示装置の表示解像度と、上記印刷装置の印刷解像度の違いに応じた文字の大きさや書体を指定するように変換し、上記印刷装置における解像度が上記表示装置における解像度よりも高い場合には、ビットマップ形式のフォントで表示するように指定されていた文字をアウトライン形式のフォントに変換して上記印刷装置に印刷させる。
【００２９】
以上のように構成された本発明に係るデジタル放送受信装置は、コンテンツ情報生成手段によって生成したコンテンツ情報を、印刷装置での印刷に適した内容に変換することができる。そして、表示装置で表示するためのコンテンツ情報とは別に、印刷装置での印刷に適したコンテンツ情報を出力することができる。したがって、効率的に柔軟且つ高品質な印刷を行うことができる。
【００３０】
また、本発明に係るデジタル放送受信装置は、デジタル放送を受信する受信手段と、上記受信手段によって受信したデジタル放送の信号に基づいて所定の信号処理を行うことにより、デジタル放送を表示するための表示属性を指定する表示属性情報を有するコンテンツ情報を生成するコンテンツ情報生成手段と、上記コンテンツ情報生成手段により生成されたコンテンツ情報に含まれる上記表示属性情報のうちの少なくとも一部を、印刷に適した内容に変換するコンテンツ情報変換手段と、上記コンテンツ情報生成手段により生成されたコンテンツ情報をデジタル放送を表示する表示装置に出力する出力手段と、上記コンテンツ情報変換手段によって変換されたコンテンツ情報を印刷する印刷手段とを備え、当該デジタル放送受信装置は、当該デジタル放送受信装置によって受信したデジタル放送を表示する表示装置に接続され、上記コンテンツ情報変換手段は、上記表示属性情報が示す背景色を調整するとともに、上記印刷手段の印刷特性や使用するインクの色再現特性に合わせて、ＲＧＢの値による数値指定形式となるように、画像データの変換処理を行い、上記表示装置の表示解像度と、上記印刷手段の印刷解像度の違いに応じた文字の大きさや書体を指定するように変換し、上記印刷手段における解像度が上記表示装置における解像度よりも高い場合には、ビットマップ形式のフォントで表示するように指定されていた文字をアウトライン形式のフォントに変換して上記印刷手段に印刷させる。
【００３１】
以上のように構成された本発明に係るデジタル放送受信装置は、コンテンツ情報生成手段によって生成したコンテンツ情報を、印刷に適した内容に変換することができる。したがって、効率的に柔軟且つ高品質な印刷を行うことができる。
【００３２】
また、本発明に係るデジタル放送印刷装置は、受信装置がデジタル放送を受信して生成した表示属性を指定する表示属性情報を有するコンテンツ情報を印刷するデジタル放送印刷装置である。そして、上記受信装置から出力されたコンテンツ情報を受け取る入力手段と、上記入力手段により受け取ったコンテンツ情報に含まれる上記表示属性情報のうちの少なくとも一部を、印刷に適した内容に変換するコンテンツ情報変換手段と、上記コンテンツ情報変換手段により変換されたコンテンツ情報を印刷する印刷手段とを備え、上記受信装置は、上記受信装置によって受信したデジタル放送を表示する表示装置と、当該デジタル放送印刷装置とに接続され、上記コンテンツ情報変換手段は、上記表示属性情報が示す背景色を調整するとともに、上記印刷手段の印刷特性や使用するインクの色再現特性に合わせて、ＲＧＢの値による数値指定形式となるように、画像データの変換処理を行い、上記表示装置の表示解像度と、上記印刷手段の印刷解像度の違いに応じた文字の大きさや書体を指定するように変換し、上記印刷手段における解像度が上記表示装置における解像度よりも高い場合には、ビットマップ形式のフォントで表示するように指定されていた文字をアウトライン形式のフォントに変換して上記印刷手段に印刷させる。
【００３３】
以上のように構成された本発明に係るデジタル放送印刷装置は、受信装置によって生成されたコンテンツ情報を、印刷に適した内容に変換することができる。したがって、効率的に、柔軟且つ高品質な印刷を行うことができる。
【００３４】
【発明の実施の形態】
以下、本発明の実施の形態について、図面を参照しながら詳細に説明する。以下では、まず、本発明について、デジタル放送を受信する受信装置と、デジタル放送を表示する表示装置と、デジタル放送に含まれる画像を印刷する印刷装置との組み合わせの構成を様々に変えた場合について説明する。
【００３５】
なお、以下の説明において、デジタル放送とは、放送局からデジタル信号によって送出される放送のことを示す。また、デジタル放送は、デジタル信号の送出形態に限定されるものではなく、例えば、従来から広く利用されている地上波放送、ＢＳ放送・ＣＳ放送のように人工衛星を介して信号を送出する衛星放送、ケーブルテレビのように信号線を介して信号を送出する有線放送などのように、様々な形態により送出されたものであってもよい。
【００３６】
本発明は、図１に示すように、デジタルテレビ受像機１０に適用することができる。デジタルテレビ受像機１０は、デジタル放送を受信する受信部１１と、デジタル放送を表示する表示部１２と、デジタル放送に含まれる画像を印刷する印刷部１３とが一体に構成されている。すなわち、デジタルテレビ受像機１０は、本発明を適用して、受信装置、表示装置、及び印刷装置を一体に構成した場合の例である。
【００３７】
また、本発明は、図２に示すように、デジタルテレビ受像機２０と、このデジタルテレビ受像機２０に接続されて用いられる印刷装置２１とに対して適用することができる。デジタルテレビ受像機２０は、デジタル放送を受信する受信部２２と、デジタル放送を表示する表示部２３とを備えて一体に構成されている。すなわち、図２に示す例は、本発明を適用して、受信装置及び表示装置を一体に構成し、これとは別に印刷装置を外部に接続して用いる場合の例である。
【００３８】
また、本発明は、図３に示すように、セットトップボックス（以下、ＳＴＢ：Set Top Box と称する。）３０と、このＳＴＢ３０に接続して用いられる表示装置３１及び印刷装置３２とに対して適用することができる。ＳＴＢ３０は、デジタル放送を受信する機能を備えている。すなわち、図３に示す例は、本発明を適用して、受信装置、表示装置、及び印刷装置をそれぞれ別個に構成し、受信装置と表示装置及び印刷装置とを接続して用いる場合の例である。
【００３９】
また、本発明は、図４に示すように、セットトップボックス（ＳＴＢ）４０と、このＳＴＢ４０に接続されて用いられる表示装置４１とに対して適用することができる。ＳＴＢ４０は、デジタル放送を受信する受信部４２と、デジタル放送に含まれる画像を印刷する印刷部４３とを備えている。すなわち、図４に示す例は、本発明を適用して、受信装置と印刷装置とを一体に構成し、これとは別に表示装置を接続して用いる場合の例である。
【００４０】
上述したように、本発明は、デジタル放送を受信する受信装置と、デジタル放送を表示する表示装置と、デジタル放送に含まれるコンテンツ情報を印刷する印刷装置とを様々に組み合わせた構成に対して適用することができる。そして、本発明では、受信装置で受信したデジタル放送を、表示装置での表示、及び印刷装置での印刷に用いる。このとき、印刷装置は、受信装置が受信したコンテンツ情報を印刷するに際して、受信装置及び／又は印刷装置に備えられるコンテンツ情報変換手段により、印刷に適した内容に変換する。
【００４１】
すなわち、本発明では、主として表示装置で表示するために送信されるデジタル放送に含まれるコンテンツ情報を、印刷装置で印刷する際に、印刷に適した内容に変換することから、効率的に、柔軟且つ高品質な印刷を行うことができる。また、コンテンツ情報変換手段を印刷装置に備えることにより、例えば、受信装置に印刷装置を接続して用いない場合、すなわちデジタル放送を受信して表示するだけの構成とした場合に、システム全体として低コスト化を図ることができる。
【００４２】
なお、本発明において、受信装置と、表示装置及び印刷装置とを接続して信号を伝送する手段としては、例えば、導線や光ファイバ等の信号線を相互に接続する、いわゆる有線型の信号伝送手段であってもよいし、電波や赤外線等によって信号を伝送する、いわゆる無線型の信号伝送手段であってもよい。また、例えば、ＩＥＥＥ８０２．３（イーサネット）、ＩＥＥＥ１３９４、ＵＳＢ等の各種規格に基づいた信号伝送手段であってもよい。
【００４３】
本発明は、上述したように、受信装置、表示装置及び印刷装置を様々に組み合わせた構成に対して適用することができるため、以下の説明においては、図３に示すように、これら各装置をそれぞれ別々な構成として、ＳＴＢ３０、表示装置３１、及び印刷装置３２とした場合に基づいて詳細に説明することとする。
【００４４】
ＳＴＢ３０は、例えば、図５に示すように、ダウンコンバータ５０と、チューナ５１と、デジタル復調部５２と、誤り訂正部５３と、デスクランブル部５４と、パケット分離部５５と、映像デコーダ５６と、音声デコーダ５７と、データデコーダ５８と、合成器５９と、ビデオＲＡＭ６０と、デジタルビデオ信号出力部６１と、モニタ制御信号出力部６２とを備える。また、ＳＴＢ３０は、Ｉ／Ｏ制御部６３と、モデム６４と、ＣＰＵシステム６５と、プリンタ制御信号インタフェース６６と、コンテンツ情報メモリ６７と、コンテンツ情報変換部６８と、コンテンツ情報出力部６９とを備える。なお、図５においては、ＳＴＢ３０を構成する各部の間で送受信される各種信号の流れを矢印で示している。
【００４５】
ＳＴＢ３０は、地上波放送、衛星放送、有線放送などのように、様々な形態のデジタル放送を受信する構成とすることができるが、以下の説明においては、実用化が果たされているＣＳデジタル放送を受信する受信装置、いわゆるＩＲＤ（Integrated Receiver Decoder）として構成する場合について例示する。ＣＳデジタル放送では、放送局や各種サービスプロバイダ及びコンテンツプロバイダなどの送信局によって、動画情報、静止画情報、及びＳＩ情報（Service Information 情報）などのコンテンツ情報がデジタル信号として混在される。なお、ＳＩ信号とは、各種のサービス情報を記載したテーブルを所定の伝送フォーマットにした信号である。そして、送信局では、このデジタル信号を、ＣＳデジタル放送として送出する。このデジタル信号は、必要に応じてスクランブル処理が施されて、送信局と所定の契約を交わしていない受信者が、デジタル放送を正しく再生することができないようにしてもよい。
【００４６】
ダウンコンバータ５０は、例えば、１２ＧＨｚ帯に割り当てられた電波を受信するアンテナに接続され、受信した電波を９５０ＭＨｚ〜２ＧＨｚ程度の中間周波数に変換する。なお、ＳＴＢ３０において、ダウンコンバータ５０は、上述したようなアンテナに接続されることに限定されるものではなく、デジタル放送が送出されてくる形態に応じて、例えば地上波放送を受信するアンテナや、衛星放送を受信するアンテナ、或いは、有線放送が送出されてくる信号線に接続されていればよい。
【００４７】
チューナ５１は、ダウンコンバータ５０によって中間周波数に変換されたデジタル放送の信号に対して選局処理を行う。すなわち、デジタル放送の信号のうち、所定のチャンネルに相当する成分の信号を選択する。このチューナ５１は、後述するように、例えば、使用者からのリモートコントローラによる指示に応じて、所定のチャンネルを選択することが可能とされている。
【００４８】
デジタル復調器５２は、チューナ５１によって選局処理されたデジタル放送の信号に対して、ＱＰＳＫ（Quadrature Phase Shift Keying）復調を行う。このデジタル復調器５２は、例えば、帯域幅を２７ＭＨｚとし、出力ビットストリームを４２．１９２Ｍｂｉｔ／ｓの伝送レートとされる。
【００４９】
誤り訂正部５３は、デジタル復調器５２によってＱＰＳＫ復調が行われたデジタル放送の信号に対して、ビタビ復号、同期検出、リードソロモン復号（２０４，１８８）、デインタリーブ等を行い、例えば２９．１６２Ｍｂｉｔ／ｓのトランスポートストリーム（ＴＳ：Transport Stream）を抽出する。誤り訂正部５３においては、例えば、ビタビ復号を行う際の畳み込みレートを１／２〜７／８程度とする。
【００５０】
デスクランブル部５４は、誤り訂正部５３によって抽出されたトランスポートストリーム中に存在する特定のＰＩＤ（Packet ID）を有するパケットについて、スクランブルの解除処理を行う。このようなスクランブルのアルゴリズムとしては、例えば、ブロック暗号に分類されるＭＵＬＴＩ２等を利用することができる。また、ＳＴＢ３０においては、このようにスクランブルの解除処理が行われた後の信号を、出力端子から高速にデータ出力を行うことによって、外部に取り出せるようにしてもよい。
【００５１】
パケット分離部５５は、デスクランブル部５４によってスクランブルの解除処理が行われた後の信号の中から、所望とする番組のパケットだけを取り出す処理を行う。デスクランブル部５４から得られる信号は、例えばＭＰＥＧ２規格等によって、映像情報、音声情報、ＳＩ情報などのコンテンツ情報が多重化されて送出されている信号である。パケット分離部５５では、このように多重化されて送出された信号の中から、所望とする番組のパケットだけを取り出す。また、同時に、ＳＩ情報の取得、及びクロックの再生等を行う。パケット分離部５５は、取り出したパケットを、映像デコーダ５６、音声デコーダ５７、データデコーダ５８、及びコンテンツ情報メモリ６７に対して出力する。
【００５２】
ところで、ＳＴＢ３０においては、上述したダウンコンバータ５０、チューナ５１、デジタル復調器５２、誤り訂正部５３、デスクランブル部５４、及びパケット分離部５５が、デジタル放送を受信する受信手段として構成されている。なお、本発明において、ＳＴＢ３０の受信手段は、係る構成に限定されるものではなく、デジタル放送を受信する機能を有していればよいことは云うまでもない。
【００５３】
映像デコーダ５６及び音声デコーダ５７は、パケット分離部５５から入力されたパケットに基づいて、例えばＭＰＥＧ２規格により符号化された映像データ及び音声データをそれぞれ復号する。映像デコーダ５６は、復号した映像データを合成器５９に対して出力する。また、音声デコーダ５７は、復号した音声データを、音声信号として外部に出力する。
【００５４】
データデコーダ５８は、パケット分離部５５で取得されたＳＩ情報、すなわち番組ガイド（ＥＰＧ：Electronic Program Guide）情報や番組詳細情報等の各種データ情報の復号を行う。そして、復号後の信号のうち、表示可能なデータに直接展開できるＳＩ情報を合成器５９に出力するとともに、表示可能なデータに直接展開できないＳＩ情報を、ＳＩ制御信号として、システムバスを介してＣＰＵシステム６５に出力する。このようにＣＰＵシステム６５に出力されたＳＩ制御信号は、このＣＰＵシステム６５で処理された後に、ＳＩ表示信号として、合成器５９に出力される。このとき、ＣＰＵシステム６５では、ＳＩ制御信号に基づいて、例えば、フォントＲＯＭに備えるフォントデータを利用した変換処理を行うことにより、表示可能なＳＩ表示信号に変換する。また、データデコーダ５８は、印刷装置３２で印刷するためのコンテンツ情報の復号を行い、システムバスを介して、コンテンツ情報メモリ６７に出力する。
【００５５】
合成器５９は、映像デコーダ５６により復号された映像データ、データデコーダ５８により復号されたＳＩ情報、及びＣＰＵシステム６５から入力されるＳＩ表示信号を合成して、表示装置３１における１画面分の表示データを作成する。このとき、合成器５９は、作成した表示データをビデオＲＡＭ６０に一時保持させることにより１画面分の表示データを完成させる。
【００５６】
ところで、本発明においては、上述した映像デコーダ５６、音声デコーダ５７、データデコーダ５８、合成器５９、及びビデオＲＡＭ６０が、ＳＴＢ３０の描画手段として構成されている。なお、本発明において、ＳＴＢ３０の描画手段は、係る構成に限定されるものではなく、上述した受信手段によって受信したデジタル放送の信号に基づいて所定の描画処理を行うことにより画像データを生成する機能を有していればよいことは云うまでもない。
【００５７】
デジタルビデオ信号出力部６１は、合成器５９によって作成された表示データを、デジタル信号として外部に出力する。
【００５８】
モニタ制御信号出力部６２は、システムバスを介して、ＣＰＵシステム６５から出力されたモニタ制御信号を、デジタル信号として外部に出力する。
【００５９】
ＳＴＢ３０においては、これらデジタルビデオ信号出力部６１及びモニタ制御信号出力部６２が、外部に接続される表示装置３１に対してデジタル信号を送出する、いわゆるデジタルビデオインタフェースとして構成されている。なお、図５においては、デジタルビデオ信号出力部６１とモニタ制御信号出力部６２とを別々に示しているが、これらは一体に構成されていてもよく、所望とするデジタルビデオインタフェースに応じて構成すればよい。
【００６０】
また、ＳＴＢ３０では、デジタルビデオ信号出力部６１及びモニタ制御信号出力部６２で送出するデジタル信号の信号形式に限定されるものではないが、規格化された信号形式を用いることが望ましい。これにより、ＳＴＢ３０は、同じ規格を有する表示装置３１に対して接続することが容易となる。
【００６１】
規格化された信号形式としては、例えば、社団法人日本電子工業振興協会（ＪＥＩＤＡ）が平成１１年１月に制定したデジタルモニタインタフェース標準（Digital Interface Standards for Monitor）Version 1.0 がある。この規格では、次のような信号形式がサポートされている。
【００６２】
0004192383.tif 000002
そして、上述したような信号形式の組み合わせによって、以下の表１に示すような４つの標準が定められている。
【００６３】
【表１】
0004192383.tif 000003
【００６４】
なお、表１に示す４つの標準のうち、標準２ｂ及び標準３は、同一の信号線を利用してビデオ信号と制御信号とを送出する標準である。ＳＴＢ３０は、例えば、これら標準２ｂ及び標準３に対応させる場合に、上述したように、デジタルビデオ信号出力部６１とモニタ制御信号出力部６２とを一体に構成し、同一の信号線を利用してビデオ信号と制御信号とを送出する構成とすることが望ましい。
【００６５】
また、ＳＴＢ３０において、Ｉ／Ｏ制御部６３は、ＳＴＢ３０内に設けられたシステムバスに接続され、例えばリモートコントローラによる使用者からの各種操作指示が入力される。また、Ｉ／Ｏ制御部６３は、例えば、ＩＣカードに対する記録再生を行う構成としてもよい。具体的には、例えば、スクランブル処理が施されたデジタル放送を受信する際に、使用者が送信局と所定の契約を交わしているか否かを示す情報や、有料デジタル放送を受信する際の課金情報などをＩＣカードに記録しておき、このＩＣカードから読み取った情報に基づいて、デジタル放送のスクランブル解除を行ったり、受信可能な残り時間を制御してもよい。また、Ｉ／Ｏ制御部６３は、送信局に対する契約情報の取得や、モデム６４を介して受信した電子メールの復号を行うとしてもよい。
【００６６】
モデム６４は、例えば電話回線やインターネット等の通信ネットワークを介して、各種情報を送受信する機能を有するとともに、ＳＴＢ３０内に設けられたシステムバスに接続されている。ＳＴＢ３０においては、必ずしもモデム６４を備える必要はないが、モデム６４を備えることにより、以下のような処理を行うことが可能となる。
【００６７】
モデム６４は、例えば、ＩＣカードに対して記録再生を行う課金情報等を、デジタル放送の送信局や顧客管理センタなどに対して、通信ネットワークを介して送受信（アップリンク／ダウンリンク）する。あるいは、例えば、データデコーダ５８から出力されたＳＩ情報の中に、通信ネットワークを介して所定の情報アドレスにアクセスすることで所定の情報を取得する旨の指示が含まれている場合には、その情報をモデム６４によって取得することが可能となる。このようにして取得した情報は、必要に応じてＣＰＵシステム６５により展開処理を行ってＳＩ表示信号を生成してもよい。
【００６８】
ＣＰＵシステム６５は、例えば、ＣＰＵ（Central Processing Unit）、プログラムＲＯＭ（Read Only Memory）、フォントＲＯＭ、ＲＡＭ（Random Access Memory）、フラッシュメモリ等から構成されてなる。ＣＰＵシステム６５は、ＳＴＢ３０内に設けられたシステムバスに接続され、このシステムバスを介して各種制御信号の送受信を行うことにより、ＳＴＢ３０を構成する各部に対する制御を行う。すなわち、ＣＰＵシステム６５は、例えば、Ｉ／Ｏ制御部６３に入力された使用者からの各種操作指示に応じて、ＳＴＢ３０を構成する各部に対する制御を行う。なお、図５においては、システムバスとＳＴＢ３０を構成する各部との間で送受信される各種制御信号の流れを示す矢印を、一部省略して示している。
【００６９】
また、ＣＰＵシステム６５は、上述したように、データデコーダ５８から出力されたＳＩ制御信号に基づいて、例えば、フォントＲＯＭに備えるフォントデータを利用した変換処理を行うことにより、表示可能なＳＩ表示信号に変換する処理を行う。これにより、例えば、ＳＩ情報に基づいて、文字情報をオンスクリーン表示（ＯＳＤ：On Screen Display）することが可能となる。
【００７０】
プリンタ制御信号インタフェース６６は、ＳＴＢ３０内に設けられたシステムバスに接続され、印刷装置３２に対してプリンタ制御信号の送受信を行う機能を有している。プリンタ制御信号は、ＳＴＢ３０から外部に接続された印刷装置３２に対して、例えば、印刷（プリント）動作の開始及び／又は中止を指示したり、印刷する画像のサイズや内容を指示する信号である。また、例えば、印刷装置３２からＳＴＢ３０に対して、印刷動作の完了や、用紙不足、用紙詰まり、インク不足などの情報を提供する信号である。
【００７１】
プリンタ制御信号インタフェース６６は、具体的な動作の一例を挙げると、例えば、Ｉ／Ｏ制御部６３に入力された使用者からの印刷開始の指示を、システムバスを介して受信した場合に、印刷装置３２に対して、印刷動作の開始を指示するプリンタ制御信号を送信する。そして、印刷装置３２が印刷動作を正常に完了すると、この印刷装置３２から送信された印刷動作完了の情報を受信し、印刷動作が正常に完了したことを確認する。
【００７２】
また、プリンタ制御信号インタフェース６６は、印刷装置３２が、例えば用紙不足や用紙詰まりなどによって、正常な印刷動作が不能となった場合に、この情報を受信して、印刷動作が正常に完了しなかったことを確認する。このとき、ＳＴＢ３０においては、例えば、印刷が正常に完了していないことを示すＳＩ制御信号をＣＰＵシステム６５によって生成し、合成器５９及びデジタルビデオ信号出力部６１を介して表示装置３１に所定の映像信号を送信することにより、印刷動作が正常に完了していないことを示す画像を表示装置３１に表示させる。
【００７３】
コンテンツ情報メモリ６７は、パケット分離部５５から入力されるデコード処理が行われる前のコンテンツ情報、或いは、データデコーダ５８からシステムバスを介して入力されるデコード処理後のコンテンツ情報を一時保持する機能を有している。すなわち、本発明を適用したデジタル放送受信システムにおいて、コンテンツ情報メモリ６７は、デジタル放送に含まれるコンテンツ情報を一時保持する、いわゆるキャッシュとしての機能を有している。
【００７４】
ＳＴＢ３０では、使用者からの指示に応じて、所望とするコンテンツ情報をコンテンツ情報メモリ６７に一時保持するとしてもよいし、受信したデジタル放送に含まれるコンテンツ情報が、このコンテンツ情報メモリ６７に随時更新して保持されるとしてもよい。
【００７５】
また、このコンテンツ情報メモリ６７には、表示装置３１で表示するためのコンテンツ情報、すなわち、文字データや画像データを含む全ての内容を一時保持するとしてもよいし、表示装置３１で表示するためのコンテンツ情報のうちで、印刷装置３２での印刷に用いる分の一部だけを一時保持するとしてもよい。具体的には、例えば、表示装置３１で表示する動画データを全てコンテンツ情報メモリ６７に保持するとせず、動画データの中に含まれる画像データの一部だけをコンテンツ情報メモリ６７に保持するとしてもよい。これにより、メモリ容量を節約して低コスト化を図ることができる。
【００７６】
また、コンテンツ情報メモリ６７には、表示装置３１で表示するためのコンテンツ情報だけではなく、この表示用のコンテンツ情報にリンクされた印刷用のコンテンツ情報、すなわち、印刷に特化した特定の番組チャンネルや情報アドレスに含まれるコンテンツ情報を一時保持するとしてもよい。
【００７７】
コンテンツ情報変換部６８は、コンテンツ情報メモリ６７に一時保持されている各種コンテンツ情報の中から、印刷するコンテンツ情報を読み出して、このコンテンツ情報の内容を、印刷装置３２の印刷特性に適合するように変換する。このコンテンツ情報変換部６８については、詳細を後述する。
【００７８】
コンテンツ情報出力部６９は、コンテンツ情報変換部６８により変換処理が行われたコンテンツ情報を、印刷装置３２に出力する。
【００７９】
つぎに、本発明を適用したデジタル放送受信システムにおける表示装置３１について説明する。
【００８０】
表示装置３１は、例えば、図６に示すように、デジタルビデオ信号入力部７０と、モニタ制御信号入力部７１と、表示デバイス駆動部７２と、表示デバイス７３と、スピーカ７４とを備える。なお、図６においては、表示装置３１を構成する各部の間で送受信される各種信号の流れを矢印で示している。
【００８１】
デジタルビデオ信号入力部７０及びモニタ制御信号入力部７１は、ＳＴＢ３０から送信された映像信号、すなわちデジタルビデオ信号とモニタ制御信号とをそれぞれ受信して、この映像信号から表示装置３１で表示するコンテンツ情報を抽出する機能を有している。
【００８２】
表示デバイス駆動部７２は、デジタルビデオ信号入力部７０及びモニタ制御信号入力部７１によって抽出されたコンテンツ情報が入力され、このコンテンツ情報に基づいて、表示デバイス７３を駆動する駆動信号を生成する。駆動信号としては、例えば、ＲＧＢ信号等である。
【００８３】
表示デバイス７３は、表示デバイス駆動部７２によって生成された駆動信号に基づいて、所定の画像を表示する機能を有している。具体的には、例えば、ＣＲＴ（Cathode Ray Tube）、ＬＣＤ（Liquid Cristal Display）、プラズマディスプレイ等である。
【００８４】
スピーカ７４は、ＳＴＢ３０から送信された音声信号を受信して、この音声信号を再生する機能を有している。
【００８５】
つぎに、以下では、表示装置３１における表示デバイス７３上に表示される表示画像の一例について説明する。本発明は、上述したように、地上波放送、衛星放送、有線放送などの形態によって一般家庭に提供されるデジタル放送を受信するだけにとどまらず、例えば、既存のアナログ放送や、インターネット環境などのような様々なサービスの受信が可能な総合情報端末を提供する際に適用することができる。このような総合情報端末では、多数提供される番組の選択・視聴を容易且つ的確に実現するとともに、様々なサービスに対する容易な操作を実現することが重要となる。
【００８６】
したがって、表示装置３１における表示デバイス７３上に表示される表示画像は、例えば、図７に示すような画像とすることが望ましい。なお、図７は、表示装置３１を起動した直後に表示デバイス７３上に表示される、初期画面の一例である。図７に示す表示装置３１の初期画面においては、受信中のハイビジョン放送を表示する領域Ｓ１、受信中のライブ番組の一覧を表示する領域Ｓ２、ホームサーバに記録されている番組の一覧を表示する領域Ｓ３、天気に関する情報を表示する領域Ｓ４、各種放送の番組表を表示する領域Ｓ５、テレビ新聞の見出し等のような文字情報を表示する領域Ｓ６などにより構成されている。
【００８７】
また、表示装置３１の初期画面は、例えば、各種ニュースや音楽などの音声サービスを選択する領域Ｓ７、電子メール等のような各種インターネット環境に対して選択・操作する領域Ｓ８、印刷装置３２に対して印刷動作の指示を行う領域Ｓ９などにより構成されている。
【００８８】
すなわち、本発明を適用したデジタル放送受信システムにおいては、表示装置３１に表示される画像の各領域が、デジタル放送に含まれる様々なコンテンツ情報からなり、多数のコンテンツ情報が組み合わされて、表示装置３１に表示される。なお、コンテンツ情報の詳細については、後述する。
【００８９】
このように、様々な映像、音声、及びサービスを構成する表示画像、すなわちコンテンツ情報は、ＳＴＢ３０の合成器５９によってひとつの画面に合成され、表示装置３１の表示デバイス７３上に表示される。そして、例えば、リモートコントローラ等によりＩ／Ｏ制御部６３を介して、使用者から特定の操作指示が入力されると、ＳＴＢ３０は、所定の映像、音声、又はサービスについて、拡大表示等の処理を行う。
【００９０】
なお、表示装置３１においては、表示装置３１の起動後に所定の時間だけ図７に示すような初期画面が表示され、使用者からの操作指示がない場合に、自動的に特定の映像、音声、又はサービスを表示するように切り替えるとしてもよい。あるいは、使用者の要求に応じて、映像、音声、及びサービスの並びを自由にカスタマイズ可能とすることもできる。
【００９１】
つぎに、表示装置３１に表示される画面における、図７に示すような初期画面からのナビゲーションの一例について、図８を参照しながら説明する。なお、図８においては、使用者から入力される所定の操作指示による、表示装置３１に表示される内容の変化を矢印で示している。
【００９２】
表示装置３１は、その起動直後に、図８に示すように、初期画面が表示された状態Ｓ１０とされている。この状態Ｓ１０から、使用者により天気情報を表示する旨の操作指示が入力されると、表示装置３１は、天気情報が表示デバイス７３上に拡大表示された状態Ｓ１１となる。なお、この状態Ｓ１１から使用者により所定の操作指示が入力されると、初期画面が表示された状態Ｓ１０に戻る。
【００９３】
また、初期画面が表示された状態Ｓ１０から、使用者により番組表を表示する旨の操作指示が入力されると、表示装置３１は、番組表が表示デバイス７３上に拡大表示された状態Ｓ１２となる。
【００９４】
この状態Ｓ１２で、使用者から番組についての詳細な情報を表示する旨の操作指示が入力されると、ＳＴＢ３０は、例えばモデム６４等により、通信ネットワークを介してアクセスを行い、番組に関する詳細な情報を取得して、それを表示デバイス７３上に表示した状態Ｓ１３となる。
【００９５】
また、初期画面が表示された状態Ｓ１０、又は番組表が表示された状態Ｓ１２において、使用者から所定の番組を選択する旨の操作指示が入力されると、特定の放送を表示デバイス７３上に拡大表示した状態Ｓ１４となる。
【００９６】
番組表が表示デバイス７３上に拡大表示された状態Ｓ１２においては、使用者からの所定の操作指示により、特定の番組について録画予約を行う状態Ｓ１５に移行してもよい。また、この状態Ｓ１５において、予約を行った所定の時刻になった時点で、特定の放送を拡大表示した状態Ｓ１４に移行してもよい。
【００９７】
また、特定の放送を表示デバイス７３上に拡大表示した状態Ｓ１４において、使用者から所定の操作指示が入力されると、表示している放送に関連する情報を選択するリストを表示した状態Ｓ１６となる。この状態Ｓ１６から特定の関連情報を選択することにより、その関連情報を表示する状態Ｓ１７となる。なお、このような関連情報は、ＳＴＢ３０によって、例えばモデム６４等により、通信ネットワークを介してアクセスを行い、特定の関連情報を取得する。
【００９８】
また、初期画面が表示された状態Ｓ１０において、使用者から所定の操作指示が入力されると、テレビ新聞の概要を表示した状態Ｓ１８となる。この状態Ｓ１８から、特定の記事の選択がなされると、その記事に関する本文を表示した状態Ｓ１９となる。なお、このようなテレビ新聞の内容は、ＳＴＢ３０におけるモデム６４等により、通信ネットワークを介してアクセスを行って取得する。また、初期画面が表示された状態Ｓ１０から直接、テレビ新聞の本文を表示した状態Ｓ１９に移行するとしてもよい。
【００９９】
また、初期画面が表示された状態Ｓ１０において、使用者から所定の操作指示が入力されると、音声サービスがスピーカ７４から音声出力された状態Ｓ２０となる。あるいは、環境映像が表示された状態Ｓ２１となる。なお、音声サービスが音声出力されるとともに、環境映像が表示された状態としてもよい。
【０１００】
つぎに、本発明を適用したデジタル放送受信システムにおける印刷装置３２について説明する。
【０１０１】
印刷装置３２は、例えば、図９に示すように、コンテンツ情報入力部８０と、バッファメモリ８１と、コンテンツ情報展開部８２と、合成器８３と、印刷画像ＲＡＭ８４と、プリント出力処理部８５と、プリントヘッド駆動部８６と、プリントヘッド８７と、プリンタ制御信号インタフェース８８と、プリンタＣＰＵシステム８９とを備える。なお、図９においては、印刷装置３２を構成する各部の間で送受信される各種信号の流れを矢印で示している。
【０１０２】
コンテンツ情報入力部８０は、ＳＴＢ３０のコンテンツ情報出力部６９から送信されたコンテンツ情報を受信して、バッファメモリ８１に一時保持する。印刷装置３２においては、バッファメモリ８１を備えずに構成してもよいが、このバッファメモリ８１を備えることにより、例えば、印刷装置３２における印刷動作の完了までに所定の時間が必要となる場合であっても、ＳＴＢ３０から印刷装置３２へのコンテンツ情報の伝送を速やかに行うことができる。また、デジタル放送受信システムにおいては、印刷装置３２で印刷するコンテンツ情報を保持するに十分なメモリ容量をバッファメモリ８１が備えていることにより、印刷するコンテンツ情報を、ＳＴＢ３０から印刷装置３２へと速やかに伝送することができる。これにより、ＳＴＢ３０では、印刷装置３２における印刷動作の完了を待つことなく、次の印刷操作に備えて、他のコンテンツ情報をコンテンツ情報メモリ６７に保持させることができる。
【０１０３】
コンテンツ情報展開部８２は、バッファメモリ８１に一時保持されたコンテンツ情報を展開処理することにより、後述するプリントヘッド８７で印刷可能なデータに変換し、合成器８３に出力する。具体的には、例えば、コンテンツ情報が画像データや文字データなどの複数の情報データから構成される場合に、これらを展開処理して、実際に印刷する画像として再構成する。
【０１０４】
このとき、コンテンツ情報展開部８２により直接展開できないＳＩ制御データは、プリンタシステムバスを介して、後述するプリンタＣＰＵシステム８９に出力する。このようにプリンタＣＰＵシステム８９に出力されたＳＩ制御データは、このプリンタＣＰＵシステム８９で処理された後に、ＳＩ印刷データとして合成器８３に出力される。このとき、プリンタＣＰＵシステム８９では、ＳＩ制御データに基づいて、例えば、フォントＲＯＭに備えるフォントデータを利用した変換処理を行うことにより、印刷可能なＳＩ印刷データに変換する。
【０１０５】
合成器８３は、コンテンツ情報展開部８２によって展開されたコンテンツ情報や、プリンタＣＰＵシステム８９によって生成されたＳＩ印刷データなどを複数合成して、印刷する画像に合成する。このとき、合成器８３は、印刷画像ＲＡＭ８４に処理済みのデータなどを一時保持するとともに、この印刷画像ＲＡＭ８４に完成した印刷する画像を書き込む。また、合成器８３は、印刷する画像が完成すると、印刷画像ＲＡＭ８４から取り出してプリント出力処理部８５に出力する。
【０１０６】
プリント出力処理部８５は、合成器８３によって合成処理された画像データに基づいて、プリントヘッドによって印刷するために適したプリントデータを生成する機能を有している。
【０１０７】
プリント出力処理部８５は、具体的には例えば、ＬＵＴ（ルックアップテーブル）による変換処理、積和演算等が高速に実行できる演算回路を利用した演算処理、高速演算処理アルゴリズムを持つソフトウエアによって実現する演算処理、及び／又は専用変換回路による処理等で実現されている。このように、プリント出力処理部８５において演算処理を順次実行する場合には、入力される画像データにおける各データのビット数と同一のビット数で演算処理を行うと、各データの有効精度が悪化してしまう場合が多い。したがって、プリント出力処理部８５では、入力される画像データのビット数に対して、演算処理の途中で、各データのビット数を増加させ、演算処理の最終段階において、増加させたビット数を元の状態に減少させることが望ましい。これにより、有効精度の悪化を回避することができる。
【０１０８】
プリントヘッド駆動部８６は、プリント出力処理部８５によって生成されたプリントデータに基づいて、プリントヘッド８７を駆動する駆動信号を生成する。
【０１０９】
プリントヘッド８７は、プリントヘッド駆動部８６によって生成された駆動信号に基づいて駆動され、印刷用紙に所定の画像を印刷する機能を有している。なお、図９においては、図示を省略しているが、印刷装置３２は、プリントヘッド８７とともに、印刷用紙を供給する用紙供給部が備えられている。なお、用紙供給部は、従来から用いられている各種印刷装置と同様の構成であるため、説明を省略する。
【０１１０】
プリンタ制御信号インタフェース８８は、印刷装置３２内に設けられたプリンタシステムバスに接続され、ＳＴＢ３０に対してプリンタ制御信号の送受信を行う機能を有している。すなわち、プリンタ制御信号インタフェース８８は、ＳＴＢ３０におけるプリンタ制御信号インタフェース６６と同等のものであり、例えば、ＳＴＢ３０から送信される印刷動作の開始及び／又は中止の指示を受信したり、印刷装置３２における印刷動作の完了や用紙不足などの情報をＳＴＢ３０に送信する機能を有している。
【０１１１】
プリンタＣＰＵシステム８９は、例えば、ＣＰＵ、プログラムＲＯＭ、ＲＡＭ、フラッシュメモリ等から構成されてなる。プリンタＣＰＵシステム８９は、印刷装置３２内に設けられたプリンタシステムバスに接続され、このプリンタシステムバスを介して各種制御信号の送受信を行うことにより、印刷装置３２を構成する各部に対する制御を行う。すなわち、プリンタＣＰＵシステム８９は、例えば、プリンタ制御信号インタフェース８８が受信した印刷動作の開始の指示に基づいて、印刷装置３２を構成する各部に対する制御を行う。あるいは、プリンタＣＰＵシステム８９は、例えば、印刷装置３２を構成する各部からの情報をプリンタシステムバスを介して受信し、印刷動作の完了や用紙不足などの情報を処理して、プリンタ制御信号インタフェース８８に送信する。
【０１１２】
つぎに、以下では、プリント出力処理部８５の具体的な構成例について説明する。
【０１１３】
プリント出力処理部８５は、図１０に示すように、例えば、拡大部９０と、ＲＧＢ−ＣＭＹ変換部９１と、色補正部９２と、黒抽出下色除去部９３と、出力ガンマ補正及び階調修正部９４と、シャープネス修正部９５と、出力特性変換部９６とを備える。なお、図１０においては、プリント出力処理部８５を構成する各部の間で送受信される各種信号の流れを矢印で示している。
【０１１４】
拡大部９０は、合成器８３から例えばＲＧＢ信号によって出力された画像データの画素数が、印刷する画像の画素数と比較して少ない場合に、入力された画像データに対して拡大処理を行い、印刷するために適した画素数に変換する。
【０１１５】
拡大部９０には、合成器８３から、例えば図１１に示すように、上述したデジタル放送の動画画像の規格の一つである７２０ｐ（７２０×１２８０画素）である画像データが入力される。このとき、拡大部９０は、印刷装置３２がＡ４サイズの印刷用紙に３００ｄｐｉで印刷を行う場合に、図１１に示すように、入力された画像データの縦横の構成画素数を２．６７５倍に拡大して、１９２６×３４２４画素である画像データに変換する。
【０１１６】
ＲＧＢ−ＣＭＹ変換部９１は、拡大部９０で変換処理された画像データに基づいて、この画像データを構成するＲＧＢ信号に変換処理を施し、プリントヘッド８７で使用するＣ（Cyan）、Ｍ（Magenta）、Ｙ（Yellow）の各色により構成されたインクやトナーに対応したＣＭＹ信号を生成する。この変換処理は、例えば、濃度Ｌｏｇ変換、補色変換、又は線形マスキング変換などによって実現することができる。
【０１１７】
色補正部９２は、ＲＧＢ−ＣＭＹ変換部９１によって生成されたＣＭＹ信号に対して色補正処理を行う。これにより、印刷装置３２は、プリントヘッド８７で使用するインクやトナーの分光吸収特性が、減法混色による理想的な特性と異なっている場合に生じる印刷画像の色調、特に色相と彩度のずれを補正することができる。色補正部９２において行う色補正処理は、具体的には、ＬＵＴ（Look Up Table）を用いた演算による変換、線形マスキング演算による変換、又は非線形マスキング演算による演算などによって実現することができる。
【０１１８】
また、印刷装置３２に入力される画像データにおける表現可能な色特性の範囲と、プリントヘッド８７によって印刷用紙に再現可能な色特性の範囲とが異なる場合には、色補正部９２において、画像データに対して色特性を圧縮処理やクリップ処理を行う。これにより、プリントヘッド８７により再現可能な色特性の範囲を超える画像データが印刷装置３２に入力された場合であっても、この画像データに含まれる色特性の情報を効率よく利用して最適な印刷処理を行うことが可能となる。
【０１１９】
黒抽出下色除去部９３は、プリントヘッド８７に黒色（以下、Ｋと記す。）のインク又はトナーが備えられている場合に、色補正部９２によって色補正処理が行われた画像データに対して黒色の抽出及び下色の除去を行う。すなわち、黒抽出下色除去部９３は、色補正部９２から入力されたＣＭＹ信号中に含まれるＫ成分を抽出するとともに、Ｃ、Ｍ、Ｙの各成分から抽出したＫ成分に相当する値を減算し、Ｃ、Ｍ、Ｙ、Ｋの各成分から構成されてなるＣＭＹＫ信号を生成する。
【０１２０】
このように、ＣＭＹ信号のうちＫ成分を抽出してＣＭＹＫ信号に置換する方法としては、例えば、ＣＭＹ信号中に含まれるＫ成分をすべて抽出する方法や、所定の割合のＫ成分を抽出・置換する方法、所定の濃度以上の領域でＫ成分を抽出・置換する方法など、様々な方法がある。
【０１２１】
印刷装置３２においては、黒抽出下色除去部９３によってＣＭＹ信号をＣＭＹＫ信号に変換し、ＣＭＹ信号中に含まれるＫ成分を黒色のインク又はトナーによって印刷処理することにより、Ｃ、Ｍ、Ｙの各インク又はトナーだけでは十分に再現することが困難な黒色部分を、最適な品質で印刷することが可能となる。なお、印刷装置３２において、プリントヘッド８７に黒色のインク又はトナーが備えられていない場合には、黒色抽出除去部９３は、上述した黒色抽出・置換処理を行わない。あるいは、この場合には、黒色抽出下色除去部９３を備えずにプリント出力処理部８５を構成してもよい。
【０１２２】
出力ガンマ補正及び階調修正部９４は、黒抽出下色除去部９３によってＣＭＹＫ信号とされた画像データに対して、ガンマ補正処理、及び階調修正処理を行う。具体的には、プリントヘッド８７における中間調の再現方法に特徴的な出力特性を有する場合に、入力された画像データに対して、その出力特性に適したガンマ補正処理、及び階調修正処理を行う。
【０１２３】
シャープネス修正部９５は、出力ガンマ補正及び階調修正部９４によって補正及び修正された画像データに対して、画像の輪郭部に対する強調処理、及びスムージング処理を行う。これにより、印刷装置３２においては、印刷する画像の品質を向上させることができる。
【０１２４】
出力特性変換部９６は、シャープネス修正部９５によって処理された画像データに対して、プリントヘッド８７の種類、プリントヘッド８７の駆動方法、印刷用紙の種類、インク又はトナーの種類などに応じて、印刷する画像の品質が最適となるように、各種特性を変換する。また、印刷時の環境温度、プリントヘッド８７における熱履歴特性、プリントヘッド８７に備えられたプリント素子のばらつき等に応じて、各種特性を変換する。
【０１２５】
なお、画像データに対する各種特性の変換処理のうち、プリントヘッド駆動部８６において、補正を行うことが適している変換処理については、このプリントヘッド駆動部８６にて行うとすればよい。
【０１２６】
つぎに、プリントヘッド８７において、黒色のインク又はトナーだけによって印刷する場合におけるプリント出力処理部８５の構成の一例を、図１２を参照しながら説明する。なお、図１２において、図１０に図示する部分と同一又は同等の部分については、図１０と同一の符号を付し、詳細な説明を省略する。
【０１２７】
プリント出力処理部８５は、プリントヘッド８５において黒色のインク又はトナーだけによって印刷する場合に、図１２に示すように、例えば、拡大部９０と、ＲＧＢ−Ｋ変換部１００と、出力ガンマ補正及び階調修正部９４と、シャープネス修正部９５と、出力特性変換部９６とを備える。すなわち、この場合にプリント出力処理部８５は、上述したＲＧＢ−ＣＭＹ変換部９１、色補正部９２、及び黒抽出下色除去部９３との代わりに、ＲＧＢ−Ｋ変換部を備えて構成される。
【０１２８】
ＲＧＢ−Ｋ変換部１００は、拡大部９０からＲＧＢ信号によって出力された画像データに基づいて、所定の演算を行い、黒色（Ｋ）の濃度情報だけからなるＫ信号を生成する。このＲＧＢ−Ｋ変換部１００では、例えば、以下の式１で求められる輝度情報Ｙに基づいてＫ信号を生成する。
【０１２９】
Ｙ＝０．２１２６×Ｒ＋０．７１５２×Ｇ＋０．０７２２×Ｂ    （式１）
なお、上記式１において、Ｒ，Ｇ，Ｂは、それぞれ、ＲＧＢ信号中のＲ成分、Ｇ成分、Ｂ成分の輝度を示す。
【０１３０】
また、図１２に示すように、プリントヘッド８７において黒色（Ｋ）だけで印刷を行うときには、プリントヘッド８７が画像データに含まれる階調を全て再現することができない場合がある。この場合には、シャープネス修正部９５又は出力特性変換部９６において、プリントヘッド８７で再現可能な階調の数に応じてディザ処理を行う。ディザ処理としては、例えば、組織的ディザ法や誤差拡散法などを利用して、疑似階調を表現する。
【０１３１】
つぎに、以下では、プリントヘッド８７の具体的な構成例について説明する。なお、以下の説明では、印刷装置３２のプリントヘッド８７を、いわゆるモノクロレーザプリンタに適用した場合の一例について説明する。
【０１３２】
プリントヘッド８７は、図１３に示すように、例えば、レーザ出力部１１０と、ポリゴンミラー１１１と、モータ１１２と、レンズ１１３と、反射ミラー１１４と、感光ドラム１１５と、帯電チャージャ１１６と、現像器１１７と、転写チャージャ１１８と、一対の搬送ローラ１１９，１２０とを備える。
【０１３３】
このように、プリントヘッド８７がモノクロレーザプリンタとして構成されている場合には、プリンタ出力処理部８５によってＫ信号として変換された画像データが、プリントヘッド駆動部８６（この場合には例えばレーザコントロール部やレーザドライバにより構成される。）によってレーザ出力信号に変換され、ポリゴンミラー１１１等と同期して、レーザ出力部１１０からレーザ光として出力される。
【０１３４】
レーザ出力部１１０から出力されたレーザ光は、ポリゴンミラー駆動部（図示せず。）によって駆動されるモータ１１２とともに回転するポリゴンミラー１１１に反射され、レンズ１１３及び反射ミラー１１４を経由して、感光ドラム１１５の主面を線状に走査する。感光ドラム１１５は、ドラム駆動モータ（図示せず。）によってレーザ光の走査方向を軸として回転駆動されている。また、感光ドラム１１５は、帯電チャージャ１１６によって帯電されており、レーザ光で走査されることで、画像データに応じた潜像が主面上に形成される。
【０１３５】
そして、感光ドラム１１５の主面上に形成された潜像に対して、現像器１１７によってトナーが供給され、トナー像が形成される。トナー像は、感光ドラム１１５の回転に伴って、転写チャージャ１１８に対向する位置までくると、図示を省略する給紙部から一対の搬送ローラ１１９，１２０によって搬送されてくるプリント用紙１３０に転写される。その後、プリント用紙１３０は、図示を省略する定着器によってトナーが定着され、印刷装置３２の外に排出される。
【０１３６】
以上の説明では、印刷装置３２における印刷方式として、従来から用いられているモノクロレーザプリンタを適用した場合について説明したが、本発明においては、このようなモノクロレーザプリンタ方式に限定されるものではなく、例えば、複数の感光ドラムを有するカラーレーザプリンタや、インクジェットプリンタ方式、感熱プリンタ、昇華型熱転写プリンタ等の各種印刷方式を適用することができることは云うまでもない。
【０１３７】
ここで、本発明を適用したデジタル放送受信システムにおけるコンテンツ情報について、具体的に説明する。
【０１３８】
本発明において、コンテンツ情報とは、ＳＴＢ３０が受信するデジタル放送に含まれる情報であり、例えば、動画情報、静止画情報、文字情報、ＳＩ情報などである。また、これら各種情報を統合する情報である。本発明では、例えば図７に示したように各種情報が組み合わされた画像を表示装置３１によって表示させるに際して、従来からデジタル放送やインターネットなどで用いられている各種のマークアップランゲージ（Markup Language）を用いることができる。このようなマークアップランゲージとしては、例えば、ＨＴＭＬ（Hyper Text Markup Language）、ＸＭＬ（Extensible Markup Language）、ＳＧＭＬ（Standard Generalized Markup Language）、ＭＨＥＧ−５（Multimedia and Hypermedia Experts Group part 5）などを挙げることができる。このようなマークアップランゲージでは、タグと称される記号により、文書の論理構造が記述されており、文書中の一部を他の文書や画像などにリンクさせることが可能とされている。
【０１３９】
本発明では、コンテンツ情報の具体的な構成内容に限定されるものではないが、各種コンテンツ情報を混在させてデジタル放送を配信させる際に、このようなマークアップランゲージを用いることにより、上述したように、動画情報、静止画情報、文字情報、ＳＩ情報などを自由に組み合わせて利用することができる。そこで、以下では、コンテンツ情報が、上述したようなマークアップランゲージにより構成されている場合の例について、具体的に説明する。
【０１４０】
例えば、ＳＴＢ３０で受信したデジタル放送に含まれるコンテンツ情報が、図１４に示すように、ＨＴＭＬ形式で記述されている場合に、この記述がＳＴＢ３０における映像デコーダ５６、データデコーダ５８、及びＣＰＵシステム６５などにより展開処理され、表示装置３１には、図１５に示すような画像が表示される。なお、図１４においては、後の説明で用いるために、各行の行頭に番号を記しているが、この行番号は実際には不要である。また、図１５では、表示装置３１に表示される画像のなかで、濃度の濃い部分を斜線で示す。
【０１４１】
すなわち、デジタル放送によって配信されるコンテンツ情報は、一般に、表示装置３１で表示する用途に用いられるため、背景色の濃度が高かったり、背景色と文字色との輝度が同程度であったりする場合が多く、そのまま印刷すると、非常に視認性の悪いものとなってしまう。
【０１４２】
そこで、本発明では、ＳＴＢ３０に備えられたコンテンツ情報変換部６８により、図１４に示したように記述されているコンテンツ情報を、例えば図１６に示すようなＨＴＭＬ形式に変換処理を行う。
【０１４３】
具体的には、図１４中９行目において背景色を指定しているタグ（<body bgcolor="Gray">）がコンテンツ情報変換部６８によって変換され、図１６中９行目に示すように変更されている（<body bgcolor="#C0BFC2">）。すなわち、コンテンツ情報変換部６８は、表示装置３１で表示する際には背景色が灰色で表示されるように指定されていたコンテンツ情報を、背景色が淡い色となるように変換処理している。これにより、変換処理後のコンテンツ情報を印刷装置３２により印刷した場合に、図１７に示すように、文字の視認性が向上された印刷結果を得ることができる。また、当初は、背景色が「灰色（Gray）」として名称で記述されていたが、印刷装置３２におけるプリントヘッド８７の印刷特性や、使用するインクの色再現特性に合わせて、ＲＧＢの値による数値指定形式による記述（#C0BFC2）に変換している。これにより、印刷時における色合いや濃淡を、より高精度に調整することができる。
【０１４４】
また、コンテンツ情報変換部６８は、図１４中で表示装置３１における表示用文字の大きさや書体を指定している記述（<font size="4" face="表示用明朝">）を変換処理することにより、図１６中に示すように、印刷時に視認性が向上する記述（<font point-size="14" face="印刷用明朝">）に変換する。これにより、表示装置３１における表示解像度と、印刷装置３２における印刷解像度との違いによる印刷時の視認性の悪化を防止することができる。なお、コンテンツ情報変換部６８は、印刷装置３２における解像度が表示装置３１における解像度よりも高い場合に、例えば、ビットマップ形式のフォントで表示するように指定された文字を、アウトライン形式（ベクトル方式）のフォントで印刷するように変換処理してもよい。
【０１４５】
また、コンテンツ情報変換部６８は、例えば、図１４中２６行目及び２７行目において表示用文字の色や大きさ、及び書体を指定している記述（<font color="#FF0080" size="4" face="表示用正楷書体">）を変換処理することにより、図１６中２６行目及び２７行目に示すように、印刷用の記述（<font color="#FE0082" point-size="14" face="印刷用明朝体">）に変換処理する。この場合では、表示装置３１において指定された文字色（#FF0080）で表示された文字が、印刷装置３２によって印刷したときに画面上と同等に視認できるように、プリントヘッド８７の印刷特性や、使用するインクの色再現特性に合わせて印刷時の文字色（#FE0082）に変更している。これにより、印刷装置３２において、画面上と同等の色特性でコンテンツ情報を印刷できるようになる。また、表示装置３１で表示する文字の書体（表示用正楷書体）が印刷装置３２のプリンタＣＰＵシステム８９に備えられていない場合には、印刷装置３２に備えられている書体（印刷用明朝体）に変更している。
【０１４６】
なお、以上の説明においては、コンテンツ情報が、従来からインターネットで広く用いられているＨＴＭＬ形式の文書により記述されている場合について説明したが、本発明では上述したような変換処理に限定されるものではないことは述べるまでもない。
【０１４７】
例えば、図１４中１４行目、１５行目などに記されている（align="left"）ように、文字の表示位置が相対位置で記述されているコンテンツ情報に対して、印刷装置３２での印刷時には印刷用紙上における絶対位置で文字の印刷位置を指定するように変換処理を行うとしてもよい。
【０１４８】
コンテンツ情報としては、例えば、ＨＴＭＬ形式の文書に付加されるＣＳＳ（Cascading Style Sheet）により表示及び印刷がなされるものであってもよい。この場合には、コンテンツ情報変換部６８によって、ＣＳＳの記述内容を変換処理することにより、印刷時における視認性を向上させるとしてもよい。
【０１４９】
コンテンツ情報変換部６８は、表示装置３１での表示用に記述されたコンテンツ情報に対して、変換処理を行うことによって、例えば、文字の色、大きさ、及び書体、或いは、印刷用紙の余白サイズ、文字間や行間のスペースなどを変更して、コンテンツ情報に含まれる文字の視認性が向上するように、印刷に適した内容に変更すればよい。
【０１５０】
また、コンテンツ情報変換部６８は、上述したようにマークアップランゲージで記述されたタグの内容について変換処理するだけでなく、例えば、画像データについても、印刷時に視認性や画質が向上するように変換処理を行うとしてもよい。
【０１５１】
さらに、コンテンツ情報変換部６８は、コンテンツ情報に含まれる文字データや画像データに対して、ディザ処理やスムージング処理を行うとしてもよい。また、これら文字データや画像データに対して、色、濃度、及び解像度などを変更することにより、表示装置３１での表示用に配信されたコンテンツ情報を、印刷装置３２で印刷した際に、視認性が向上し、高品質に印刷が行われるように変換処理を行うとしてもよい。具体的には、例えば、文字データや画像データの色や濃度を、背景の色や濃度に対して相対的に調整することにより、これら文字データや画像データと背景とを区別しやすくして視認性を向上させる。或いは、文字データや画像データに対して、ディザ処理やスムージング処理を行うことにより、表示用に配信されて解像度が比較的小さい場合であっても、印刷時には高品質な印刷結果が得られるように変換処理する。
【０１５２】
本発明では、上述したように、ＳＴＢ３０にコンテンツ情報変換部６８が備えられていることによって、表示装置３１での表示用に配信されたコンテンツ情報を、印刷装置３２によって印刷するために適した内容に変換することができる。したがって、視認性が向上した高品質な印刷を行うことが可能となる。また、印刷装置３２におけるプリントヘッド８７の印刷特性や、印刷用紙の種類、使用するインクの色再現性に応じて、柔軟に印刷を行うことが可能となる。
【０１５３】
つぎに、以下では、上述したＳＴＢ３０、表示装置３１、及び印刷装置３２の動作の一例について、図１８及び図１９を参照しながら説明する。
【０１５４】
ＳＴＢ３０は、動作開始後に、図１８においてステップＳ３０に示すように、各種放送を受信して合成器５９によって各種画像を合成し、ビデオＲＡＭ６０にその画像を書き込む。このとき合成する画像は、例えば、図７に示すような初期画面とする。また、この初期画面を映像信号として表示装置３１に送信し、表示装置３１の表示デバイス７３上に表示する。
【０１５５】
使用者からの操作指示が一定時間なかった場合には、ステップＳ３１に示すように、前回選択された番組又は情報アドレスをＣＰＵシステム６５のフラッシュメモリ等から取得して、その番組放送又は情報アドレスを設定する。
【０１５６】
ステップＳ３１において、番組放送の表示が設定された場合には、ステップＳ３２に示すように、ダウンコンバータ５０、チューナ５１等により、所定の番組放送を受信する。
【０１５７】
次に、ステップＳ３３に示すように、デスクランブル部５４、映像デコーダ５６等により、デコード処理を行う。
【０１５８】
次に、ステップＳ３４に示すように、デコード処理が施された映像信号及びＳＩ表示信号等を合成器５９により合成して、ビデオＲＡＭ６０に書き込むコンテンツ情報を更新する。また、このとき、パケット分離部５５により分離されたデコード処理前のコンテンツ情報や、映像デコーダ５６及びデータデコーダ５８によりデコードされたデコード処理済のコンテンツ情報がコンテンツ情報メモリ６７に一時保持される。
【０１５９】
また、ステップＳ３１において、情報アドレスが設定された場合には、ステップＳ３５に示すように、例えばモデム６４等により、通信ネットワークにアクセスし、所定の情報を取得する。あるいは、ステップＳ３５において、所定のデジタル放送を受信して所定の情報を取得する。
【０１６０】
次に、ステップＳ３６に示すように、取得した所定の情報に対して、例えばデータデコーダ５８やＣＰＵシステム６５によってデコード処理を行い、次のステップＳ３４に処理を進める。
【０１６１】
ステップＳ３４で更新されたコンテンツ情報は、ステップＳ３７に示すように、ビデオＲＡＭ６０内で表示装置３１に表示する画像として生成される。
【０１６２】
次に、ステップＳ３８に示すように、ビデオＲＡＭ６０内に生成された表示画像をデジタルビデオ信号出力部６１を介して、映像信号として表示装置３１に送信する。
【０１６３】
次に、ステップＳ３９に示すように、表示装置３１において、映像信号を受信し、表示デバイス７３上に表示画像を表示する。
【０１６４】
次に、ステップＳ４０に示すように、ＳＴＢ３０のＩ／Ｏ制御部６３は、例えば番組放送又は情報アドレスの選択操作が使用者により入力されたか否かを、判定する。入力された場合には、上述したステップＳ３２又はステップＳ３５に戻り、新たな番組放送又は情報アドレスを受信する。入力されていない場合には、次のステップＳ４１に処理を進める。
【０１６５】
ステップＳ４１において、Ｉ／Ｏ制御部６３は、使用者からの印刷開始の操作指示が入力された否かを判定する。入力された場合には、図１９に示すステップ４４に処理を進める。入力されていない場合には、ステップＳ３２又はステップＳ３５に戻り、番組放送又は情報アドレスの受信を継続して、コンテンツ情報の表示の更新を行う。
【０１６６】
次に、ステップＳ４４においては、図１９に示すように、ＳＴＢ３０が、プリンタ制御信号インタフェース６６を介して、印刷装置３２に対して印刷開始の指示を送信する。
【０１６７】
次に、ステップＳ５４において、ＳＴＢ３０のＣＰＵシステム６５、又は印刷装置３２のプリンタＣＰＵシステム８９は、印刷するコンテンツ情報を取得するために、新たに番組放送又は情報アドレスにアクセスする必要があるか否かを判定する。必要がある場合には、次のステップＳ５５又はステップＳ５６に処理を進める。必要がない場合には、処理を次のステップＳ５７に進める。
【０１６８】
ステップＳ５５において、ＳＴＢ３０は、所定の番組放送を新たに受信し、次のステップＳ５８に処理を進める。
【０１６９】
次に、ステップＳ５８において、ＳＴＢ３０は、受信した番組放送に対してデコード処理を施す。また、このとき、パケット分離部５５により分離されたデコード処理前のコンテンツ情報や、映像デコーダ５６及びデータデコーダ５８によりデコードされたデコード処理済のコンテンツ情報がコンテンツ情報メモリ６７に一時保持される。
【０１７０】
次に、ステップＳ５９において、ＳＴＢ３０は、コンテンツ情報メモリ６７に保持されているコンテンツ情報に対して、コンテンツ情報変換部６８により変換処理を施し、処理を次のステップＳ５７に進める。
【０１７１】
また、ステップＳ５６において、ＳＴＢ３０は、所定の情報アドレスを新たに受信し、次のステップＳ６０に処理を進める。
【０１７２】
次に、ステップＳ６０において、ＳＴＢ３０は、受信した情報アドレスに対してデコード処理を施し、処理をステップＳ５９に進める。このとき、パケット分離部５５により分離されたデコード処理前のコンテンツ情報や、映像デコーダ５６及びデータデコーダ５８によりデコードされたデコード処理済のコンテンツ情報がコンテンツ情報メモリ６７に一時保持される。
【０１７３】
ステップＳ５７において、ＳＴＢ３０は、コンテンツ情報出力部６９を介して、コンテンツ情報変換部６８により変換処理されたコンテンツ情報を印刷装置３２に送出する。
【０１７４】
次に、ステップＳ６１において、印刷装置３２は、コンテンツ情報入力部８０を介してＳＴＢ３０から入力されたコンテンツ情報を、コンテンツ情報展開部８２及びプリンタＣＰＵシステム８９により展開して、印刷する画像を印刷画像ＲＡＭ８４に書き込む。
【０１７５】
次に、ステップＳ６２において、プリント出力処理部８５により、印刷画像ＲＡＭ８４に保持されたコンテンツ情報を印刷に適したプリントデータに変換処理する。
【０１７６】
次に、ステップＳ６３において、プリントデータに基づいて、プリントヘッド駆動部８６によりプリントヘッド８７を駆動する。
【０１７７】
次に、ステップＳ６４において、プリントヘッド８７により、印刷用紙に対して印刷処理を行う。
【０１７８】
次に、ステップＳ６５において、プリンタＣＰＵシステム８９により、印刷動作が完了したか否かを判定する。完了した場合には、図１８に示すステップＳ３２又はステップＳ３５に処理を進め、ＳＴＢ３０における番組放送又は情報アドレスの受信、及びビデオＲＡＭ６０の更新を再開する。完了していない場合には、印刷動作を継続するとともに、このステップＳ６５における判定を繰り返す。
【０１７９】
本発明を適用したデジタル放送受信システムは、以上で説明したようにして動作することにより、デジタル放送に含まれるコンテンツ情報を表示装置３１で表示するとともに、印刷装置３２で印刷する際には、表示用途に生成されたコンテンツ情報に対して印刷に適した内容に変換処理した上で、印刷する。
【０１８０】
ところで、以上の説明においては、コンテンツ情報に対して変換処理を行うコンテンツ情報変換部６８がＳＴＢ３０に備えられているとしたが、本発明は、このような構成に限定されるものではない。
【０１８１】
例えば、ＳＴＢ３０にはコンテンツ情報変換部６８を備えるとせず、印刷装置３２におけるコンテンツ情報展開部８２の前段にコンテンツ情報変換部６８を備えて構成し、ＳＴＢ３０から印刷装置３２に伝送されたコンテンツ情報に対して、印刷装置３２に備えたコンテンツ情報変換部６８によって変換処理を行うとしてもよい。これにより、ＳＴＢ３０は、コンテンツ情報変換部６８を備える必要がなく、デジタル放送受信システムにおいて印刷装置３２を接続しない場合に、システム全体として低コスト化を図ることができる。
【０１８２】
また、例えば、ＳＴＢ３０と印刷装置３２におけるコンテンツ情報展開部８２の前段とに、それぞれコンテンツ情報変換部６８を備えて構成してもよい。この場合には、例えば、ＳＴＢ３０におけるコンテンツ情報変換部６８によって、印刷するコンテンツ情報のうちの一部だけに対して変換処理を施し、この変換済のコンテンツ情報を印刷装置３２に伝送するとともに、印刷装置３２のコンテンツ情報変換部６８によって、伝送されたコンテンツ情報に対してさらに変換処理を施すとしてもよい。このように、コンテンツ情報変換部６８を、ＳＴＢ３０と印刷装置３２とに分散して設けることにより、例えば、大きな計算能力を必要とするような動画像や静止画像に対する変換処理をＳＴＢ３０により行い、マークアップランゲージのタグ内容の変更などのような比較的計算能力が小さくて済む変換処理を印刷装置３２で行うことができる。このとき、例えば、ＳＴＢ３０で行う変換処理を、コンテンツ情報変換部６８だけでなく、例えば映像デコーダ５６やデータデコーダ５８と協調して行うとしてもよい。また、これら映像デコーダ５６及びデコーダデコーダ５８をＳＴＢ３０におけるコンテンツ情報変換部６８として用いてもよい。これにより、ＳＴＢ３０や印刷装置３２においては、製品に必須となるハードウエアを効率よく利用して、各装置をバランスのとれたコストで提供することが可能となる。
【０１８３】
なお、以上では、図３に示したように、受信装置としてのＳＴＢ３０と、表示装置３１と、印刷装置３２とがそれぞれ別々な構成とされた場合に本発明を適用した例について説明したが、本発明はこのような構成のデジタル放送受信システムへの適用に限定されるものではなく、図１、図２、及び図４に示したように、各装置の一部又は全部を一体に構成した場合についても適用することができる。
【０１８４】
例えば、図４に示すように、ＳＴＢ４０が受信部４２と印刷部４３とを備え、このＳＴＢ４０に対して別に設けられた表示装置４１を接続して用いる場合には、ＳＴＢ４０における受信部４２を上述したＳＴＢ３０と同様に構成し、印刷部４３を上述した印刷装置３２と同様に構成すればよい。このように、各装置が一体に構成されたデジタル放送受信システムに対して本発明を適用する場合には、上述したＳＴＢ３０、表示装置３１、及び印刷装置３２に示した構成のうちの一部、特に、信号の入出力を司るインタフェース部を省略することができ、低コスト化を実現することができるが、システム構成の自由度は低減する。また、ＳＴＢ４０に対して本発明を適用する場合には、ＣＰＵシステムの制御ソフトウエア構造を、受信部４１と印刷部４２とにおいて分割して設定し、受信部４１の制御タスクと、印刷部４２の制御タスクとを別々に制御することが望ましい。具体的には、受信部４１における制御タスクはＣＰＵシステム６５により制御し、印刷部４２における制御タスクはプリンタＣＰＵシステム８９により制御する構成とする。
【０１８５】
【発明の効果】
以上で説明したように、本発明に係るデジタル放送受信システムは、印刷に適したコンテンツ情報を生成するコンテンツ情報変換手段を受信装置に備える必要がなく、印刷装置を接続しない場合に、システム全体として低コスト化を図ることができるとともに、印刷装置のコンテンツ情報変換手段によって表示用のコンテンツ情報を印刷に適した内容に変換することができることから、効率的に、柔軟且つ高品質な印刷を行うことができる。したがって、多種多様なコンテンツ情報が含まれるというデジタル放送の特性を最大限に活かして、このデジタル放送の表示及び印刷を行うことが可能となる。
【０１８６】
また、本発明に係るデジタル放送受信装置は、表示装置での表示するためのコンテンツ情報とは別に、印刷装置での印刷に適したコンテンツ情報を出力することができる。したがって、効率的に、柔軟且つ高品質な印刷を行うことができる。したがって、多種多様なコンテンツ情報が含まれるというデジタル放送の特性を最大限に活かして、このデジタル放送の表示及び印刷を行うことが可能となる。
【０１８７】
また、本発明に係るデジタル放送印刷装置は、受信装置によって生成されたコンテンツ情報を、印刷に適した内容に変換して、効率的に、柔軟且つ高品質な印刷を行うことができる。したがって、多種多様なコンテンツ情報が含まれるというデジタル放送の特性を最大限に活かして、このデジタル放送の表示及び印刷を行うことが可能となる。
【図面の簡単な説明】
【図１】本発明を適用したデジタルテレビ受像機を示す概略構成図である。
【図２】本発明を適用したデジタルテレビ受像機及び印刷装置を示す概略構成図である。
【図３】本発明を適用したＳＴＢ、表示装置、及び印刷装置を示す概略構成図である。
【図４】本発明を適用したＳＴＢ及び表示装置を示す概略構成図である。
【図５】本発明を適用したＳＴＢを示す概略構成図である。
【図６】本発明を適用した表示装置を示す概略構成図である。
【図７】本発明を適用した表示装置に表示される初期画面の一例を示す概略図である。
【図８】本発明を適用した表示装置に表示される画面におけるナビゲーションの一例を示すフローチャートである。
【図９】本発明を適用した印刷装置を示す概略構成図である。
【図１０】本発明を適用した印刷装置におけるプリント出力処理部の一構成例を示す概略図である。
【図１１】本発明を適用した印刷装置における拡大部での処理を説明するための概略図である。
【図１２】本発明を適用した印刷装置におけるプリント出力処理部の別の構成例を示す概略図である。
【図１３】本発明を適用した印刷装置におけるプリントヘッドの一構成例を示す概略図である。
【図１４】デジタル放送により配信されるコンテンツ情報の一例を示す図であり、コンテンツ情報がＨＴＭＬ形式で記述されている場合の例を示す図である。
【図１５】デジタル放送により配信されるコンテンツ情報が表示装置により表示された場合の例を示す図である。
【図１６】本発明を適用したＳＴＢにより、デジタル放送により配信されるコンテンツ情報を印刷に適した内容に変換した場合の例を示す図である。
【図１７】同ＳＴＢにより変換されたコンテンツ情報を印刷装置により印刷した場合の例を示す図である。
【図１８】本発明を適用したＳＴＢ、表示装置、及び印刷装置の動作の一例を説明するフローチャートである。
【図１９】本発明を適用したＳＴＢ、表示装置、及び印刷装置の動作の一例を説明するフローチャートである。
【図２０】従来のアナログビデオプリンタの使用形態を示す概略図である。
【図２１】従来のアナログマルチスキャンプリンタの使用形態を示す概略図である。
【図２２】従来のＰＣプリンタの使用形態を示す概略図である。
【符号の説明】
３０  ＳＴＢ、３１  表示装置、３２  印刷装置、５０  ダウンコンバータ、５１  チューナ、５２  デジタル復調器、５３  誤り訂正部、５４  デスクランブル部、５５  パケット分離部、５６  映像デコーダ、５７  音声デコーダ、５８  データデコーダ、５９  合成器、６０  ビデオＲＡＭ、６１デジタルビデオ信号出力部、６２  モニタ制御信号出力部、６３  Ｉ／Ｏ制御部、６４  モデム、６５  ＣＰＵシステム、６６  プリンタ制御信号インタフェース、６７  コンテンツ情報メモリ、６８  コンテンツ情報変換部、６９  コンテンツ情報出力部、８０  コンテンツ情報入力部、８１  バッファメモリ、８２  コンテンツ情報展開部、８３  合成器、８４  印刷画像ＲＡＭ、８５  プリント出力処理部、８６  プリントヘッド駆動部、８７  プリントヘッド、８８  プリンタ制御信号インタフェース部、８９  プリンタＣＰＵシステム
【図１】
0004192383.tif 000004
【図２】
0004192383.tif 000005
【図３】
0004192383.tif 000006
【図４】
0004192383.tif 000007
【図５】
0004192383.tif 000008
【図６】
0004192383.tif 000009
【図７】
0004192383.tif 000010
【図８】
0004192383.tif 000011
【図９】
0004192383.tif 000012
【図１０】
0004192383.tif 000013
【図１１】
0004192383.tif 000014
【図１２】
0004192383.tif 000015
【図１３】
0004192383.tif 000016
【図１４】
0004192383.tif 000017
【図１５】
0004192383.tif 000018
【図１６】
0004192383.tif 000019
【図１７】
0004192383.tif 000020
【図１８】
0004192383.tif 000021
【図１９】
0004192383.tif 000022
【図２０】
0004192383.tif 000023
【図２１】
0004192383.tif 000024
【図２２】
0004192383.tif 000025